(57)【要約】【課題】記録位置に媒体が位置していない状態で記録のための動作が行われることを確実に防止した上で、当該防止のために所定の処理を行った媒体を他の媒体から区別できるようにすると共に、処理に係るスループットの低下を抑制することを目的とする。【解決手段】複合処理装置１の処理制御部７０ａは、小切手に記録する画像の搬送方向における長さが、小切手４の搬送方向における長さによって規定される記録領域の長さよりも長い場合、記録領域に収まる範囲の画像を記録し、小切手を排出する排出部を切り替え、収納部に収納された次の小切手に対し搬送を行う。【選択図】図３
2013071414.tif 000002
【特許請求の範囲】
【請求項１】
制御装置に接続可能な媒体処理装置であって、
複数の媒体を収納可能な収納部と、
前記収納部に連通し、前記媒体を搬送する搬送路と、
前記搬送路に連通可能であり、前記媒体が排出される複数の排出部と、
前記媒体を排出する前記排出部を切り替える切替部と、
前記収納部から前記搬送路を経由して前記排出部へ、前記媒体を搬送する搬送部と、
前記搬送路に配置され、前記搬送部により搬送される前記媒体に記録を行う記録部と、
前記切替部、前記搬送部、及び、前記記録部を制御する処理制御部と、を備え、
前記処理制御部は、
前記媒体に記録する画像の搬送方向における長さが、前記媒体の搬送方向における長さによって規定される記録領域の長さよりも長い場合、前記記録領域に収まる範囲の前記画像を前記記録部により記録し、
前記画像の長さより前記記録領域の長さが短い場合と長い場合とにおいて、前記媒体が排出される前記排出部が異なるように、前記切替部により前記排出部を切り替え、
前記収納部に収納された次の前記媒体に対し前記搬送部による搬送を行うことを特徴とする媒体処理装置。
【請求項２】
前記記録部の上流側に設けられ、前記媒体を検出するセンサーをさらに備え、
前記処理制御部は、
前記センサーにより前記媒体の後端を検出し、前記記録部による前記媒体の前記後端に対応する位置の上流側への画像の記録を禁止することによって、前記画像の長さが前記記録領域の長さよりも長い場合に、前記記録領域に記録できる範囲で前記画像を記録することを特徴とする請求項１に記載の媒体処理装置。
【請求項３】
前記搬送部により搬送される前記媒体の長さを検出する検出部をさらに備え、
前記処理制御部は、
前記制御装置から受信した前記画像に係るデータに基づき、前記媒体に記録する前記画像の前記搬送方向における長さを算出し、算出した前記画像の長さと、前記検出部が検出した前記媒体の前記搬送方向における長さによって規定される前記記録領域の長さとを比較し、前記画像の長さが長い場合は、前記記録領域に納まる範囲の前記画像を前記記録部により記録することを特徴とする請求項１に記載の媒体処理装置。
【請求項４】
前記処理制御部は、
前記画像の長さが前記記録領域の長さよりも長く、前記記録領域に記録できる範囲で前記画像を記録した場合、その旨、及び、前記収納部に収納された次の前記媒体について処理が可能である旨を、前記制御装置に通知することを特徴とする請求項１ないし３のいずれかに記載の媒体処理装置。
【請求項５】
前記画像の長さが前記記録領域の長さよりも長く、前記記録領域に記録できる範囲で前記画像を記録した場合、前記画像の元データのうち、記録されなかった部分について、破棄することを特徴とする請求項１ないし４のいずれかに記載の媒体処理装置。
【請求項６】
前記搬送路に配置され、前記搬送部により搬送される前記媒体を読み取る読取部をさらに備え、
前記処理制御部は、
前記切替部、前記搬送部、前記記録部、及び、前記読取部を制御して、前記収納部に収納された複数の前記媒体に対して、前記収納部から前記搬送路を経由して前記排出部への搬送、搬送中の前記媒体に対する前記記録部による記録、及び、搬送中の前記媒体に対する前記読取部による読み取りを含む一連の処理を、連続して実行することを特徴とする請求項１ないし５のいずれかに記載の媒体処理装置。
【請求項７】
制御装置に接続可能であり、
複数の媒体を収納可能な収納部と、
前記収納部に連通し、前記媒体を搬送する搬送路と、
前記搬送路に連通可能であり、前記媒体が排出される複数の排出部と、
前記媒体を排出する前記排出部を切り替える切替部と、
前記収納部から前記搬送路を経由して前記排出部へ、前記媒体を搬送する搬送部と、
前記搬送路に配置され、前記搬送部により搬送される前記媒体に記録を行う記録部と、
を備える媒体処理装置の制御方法であって、
前記媒体に記録する画像の搬送方向における長さが、前記媒体の搬送方向における長さによって規定される記録領域の長さよりも長い場合、前記記録領域に収まる範囲の前記画像を前記記録部により記録し、
前記画像の長さより前記記録領域の長さが短い場合と長い場合とにおいて、前記媒体が排出される前記排出部が異なるように、前記切替部により前記排出部を切り替え、
前記収納部に収納された次の前記媒体に対し前記搬送部による搬送を行うことを特徴とする媒体処理装置の制御方法。
【請求項８】
制御装置に接続可能であり、
複数の媒体を収納可能な収納部と、
前記収納部に連通し、前記媒体を搬送する搬送路と、
前記搬送路に連通可能であり、前記媒体が排出される複数の排出部と、
前記媒体を排出する前記排出部を切り替える切替部と、
前記収納部から前記搬送路を経由して前記排出部へ、前記媒体を搬送する搬送部と、
前記搬送路に配置され、前記搬送部により搬送される前記媒体に記録を行う記録部と、
を備える媒体処理装置の各部を制御する制御部により実行されるプログラムであって、
前記制御部を、
前記切替部、前記搬送部、及び、前記記録部を制御して、
前記媒体に記録する画像の搬送方向における長さが、前記媒体の搬送方向における長さによって規定される記録領域の長さよりも長い場合、前記記録領域に収まる範囲の前記画像を前記記録部により記録し、
前記画像の長さより前記記録領域の長さが短い場合と長い場合とにおいて、前記媒体が排出される前記排出部が異なるように、前記切替部により前記排出部を切り替え、
前記収納部に収納された次の前記媒体に対し前記搬送部による搬送を行う処理制御部として機能させることを特徴とするプログラム。
【発明の詳細な説明】
【技術分野】
【０００１】
本発明は、媒体を搬送し、搬送中の媒体に記録する媒体処理装置、当該媒体処理装置の制御方法、及び、当該媒体処理装置を制御するためのプログラムに関する。
【背景技術】
【０００２】
従来、小切手等の媒体を搬送すると共に、搬送中、媒体に画像を記録する媒体処理装置が知られている（例えば、特許文献１参照）。この種の媒体処理装置では、収納部に複数枚の媒体を収納し、これら複数枚の媒体に対して、搬送、及び、記録を含む一連の処理を実行するものがある。
【先行技術文献】
【特許文献】
【０００３】
【特許文献１】特開２００２−２５５３９３号公報
【発明の概要】
【発明が解決しようとする課題】
【０００４】
上述した媒体処理装置のように搬送中の媒体に対して記録するものでは、記録位置に媒体が位置していない状態で記録のための動作を実行した場合、何らかの不具合が発生する原因となり得る。例えば、インクジェットヘッドによってインクを吐出して画像を記録する装置では、インクの吐出位置に媒体が位置していない状態で、インクジェットヘッドからインクを吐出したとすると、媒体、装置の汚れ等の原因となり得る。また例えば、サーマルヘッドによって画像を記録する装置では、記録位置に媒体が位置していない状態で画像の記録に係る動作を実行した場合、発熱素子の寿命等に悪影響を与える可能性がある。従って、記録位置に媒体が位置していない状態で記録のための動作を行うことを確実に防止する必要がある。これを踏まえ、ある１の媒体について、当該１の媒体に記録すべき画像が、当該１の媒体の記録領域に収まりきれず、何も対応しなかったとすると当該媒体が記録位置に位置していない状態で記録に係る動作を実行してしまうような状況の場合は、当該動作を防止するための特別な処理を行うことが考えられる。そして、複数の媒体について連続して処理するために、複数の媒体の中に、当該特別の処理を行った媒体が存在する場合は、当該媒体を他の媒体から明確に区別し、後に当該媒体を選別できるようにしておく必要がある。さらに、上述した媒体処理装置のように、複数の媒体について連続して処理するためには、連続処理を中断すると、全ての媒体の処理に要する時間が長くなり、スループットの著しい低下を招くことがあるため、できるだけこのようなスループットの低下を抑制したいとするニーズがある。
本発明は、上述した事情に鑑みてなされたものであり、記録位置に媒体が位置していない状態で記録のための動作が行われることを確実に防止した上で、当該防止のために所定の処理を行った媒体を他の媒体から区別できるようにすると共に、連続して処理できるようにして処理に係るスループットの低下を抑制することを目的とする。
【課題を解決するための手段】
【０００５】
上記目的を達成するために、本発明は、制御装置に接続可能な媒体処理装置であって、複数の媒体を収納可能な収納部と、前記収納部に連通し、前記媒体を搬送する搬送路と、前記搬送路に連通可能であり、前記媒体が排出される複数の排出部と、前記媒体を排出する前記排出部を切り替える切替部と、前記収納部から前記搬送路を経由して前記排出部へ、前記媒体を搬送する搬送部と、前記搬送路に配置され、前記搬送部により搬送される前記媒体に記録を行う記録部と、前記切替部、前記搬送部、及び、前記記録部を制御する処理制御部と、を備え、前記処理制御部は、前記媒体に記録する画像の搬送方向における長さが、前記媒体の搬送方向における長さによって規定される記録領域の長さよりも長い場合、前記記録領域に収まる範囲の前記画像を前記記録部により記録し、前記画像の長さより前記記録領域の長さが短い場合と長い場合とにおいて、前記媒体が排出される前記排出部が異なるように、前記切替部により前記排出部を切り替え、前記収納部に収納された次の前記媒体に対し前記搬送部による搬送を行うことを特徴とする。
この構成によれば、処理の対象となっている媒体について、当該媒体に記録すべき画像の搬送方向における長さが、当該媒体の記録領域の長さよりも長い場合、記録領域に収まる範囲で当該画像を記録するため、このような場合であっても、当該媒体が記録位置に位置していない状態で、記録のための動作が行われることを確実に防止可能である。さらに、上記構成によれば、記録領域に記録できる範囲で画像を記録した媒体については、そうではない媒体と異なる排出部に排出されるため、当該媒体を他の媒体から明確に区別することが可能である。さらに、１の媒体に記録すべき画像の搬送方向における長さが、当該媒体の記録領域の長さよりも長い場合であっても、エラーが発生しているとして処理自体を停止するのではなく、収納部に収納された次の媒体に対する搬送を行い、当該次の媒体に対する処理を連続して行う構成のため、スループットの低下を効果的に抑制可能である。
また、上記構成によれば、処理の対象となっている媒体について、当該媒体に記録すべき画像の搬送方向における長さが、当該媒体の記録領域の長さよりも長い場合、当該媒体に対して画像を記録しないのではなく、当該媒体が記録位置に位置していない状態で記録のための動作が実行されることを防止した上で、記録領域に収まる範囲で画像が記録される。ここで、媒体に記録される画像の性質によっては、画像の一部が記録されなかった場合であっても、許容されるケースがあるため、上記構成によれば、このようなケースに適切に対応可能である。
【０００６】
また、本発明は、前記記録部の上流側に設けられ、前記媒体を検出するセンサーをさらに備え、前記処理制御部は、前記センサーにより前記媒体の後端を検出して、前記記録部による前記媒体の前記後端に対応する位置の上流側への画像の記録を禁止することによって、前記画像の長さが前記記録領域の長さよりも長い場合に、前記記録領域に記録できる範囲で前記画像を記録することを特徴とする。
この構成によれば、センサーを利用して媒体の後端を検出した上で、後端の位置を管理し、この後端に対応する位置の上流側への画像の記録を禁止するため、容易な手段で、媒体の後端を上流側に越えて画像が記録されることを確実に防止できる。
【０００７】
また、本発明は、前記搬送部により搬送される前記媒体の長さを検出する検出部をさらに備え、前記処理制御部は、前記制御装置から受信した前記画像に係るデータに基づき、前記媒体に記録する前記画像の前記搬送方向における長さを算出し、算出した前記画像の長さと、前記検出部が検出した前記媒体の前記搬送方向における長さによって規定される前記記録領域の長さとを比較し、前記画像の長さが長い場合は、前記記録領域に納まる範囲の前記画像を前記記録部により記録することを特徴とする。
この構成によれば、搬送路を搬送される媒体の実際の長さを反映して、的確に、当該媒体の長さと、当該媒体に記録すべき画像の長さとの長短を判別できる。
【０００８】
また、本発明は、前記処理制御部は、前記画像の長さが前記記録領域の長さよりも長く、前記記録領域に記録できる範囲で前記画像を記録した場合、その旨、及び、前記収納部に収納された次の前記媒体について処理が可能である旨を、前記制御装置に通知することを特徴とする。
この構成によれば、媒体に記録すべき画像の長さが当該媒体の記録領域の長さよりも長く、記録領域に記録できる範囲で画像を記録した場合、制御装置側で、表示部にその旨表示してオペレーターに通知する等の対応する処理を実行可能となる。さらに、エラーによっては媒体処理装置による媒体の連続処理を停止する必要があるものがあるが、上記構成によれば、記録領域に記録できる範囲で画像を記録した場合、収納部に収納された次の媒体について処理が可能である旨制御装置に通知されるため、制御装置は、連続した媒体の処理に応じた制御が可能となり、これにより、媒体の連続処理が継続し、スループットの低下を抑制できる。
【０００９】
また、本発明は、前記画像の長さが前記記録領域の長さよりも長く、前記記録領域に記録できる範囲で前記画像を記録した場合、前記画像の元データのうち、記録されなかった部分について、破棄することを特徴とする。
この構成によれば、前記画像の元データのうち、記録されなかった部分について、所定の記憶領域に記憶しておく場合と比較し、記憶領域の効率的な使用が可能となる。
【００１０】
また、本発明は、前記搬送路に配置され、前記搬送部により搬送される前記媒体を読み取る読取部をさらに備え、前記処理制御部は、前記切替部、前記搬送部、前記記録部、及び、前記読取部を制御して、前記収納部に収納された複数の前記媒体に対して、前記収納部から前記搬送路を経由して前記排出部への搬送、搬送中の前記媒体に対する前記記録部による記録、及び、搬送中の前記媒体に対する前記読取部による読み取りを含む一連の処理を、連続して実行することを特徴とする。
ここで、上記構成のように、搬送される媒体への記録のほか、媒体の読み取りを行う媒体処理装置では、媒体の読み取りの成否が最重要とされ、媒体への記録については画像の一部が記録されない状況であっても、許容されるケースがある。この場合、画像の一部が記録されない場合であっても、一連の処理の連続した実行を継続した方が、処理効率の向上という観点からは、有利である。以上を踏まえ、上記構成によれば、一連の処理の対象となっている媒体について、当該媒体に記録すべき画像の長さが当該媒体の記録領域の長さよりも長い場合、当該媒体に対して全く画像を記録しないのではなく、当該媒体が記録位置に位置していない状態で記録のための動作を行うことを防止した上で記録領域に収まる範囲で画像が記録され、媒体の読み取りを含む一連の処理の連続した実行が継続するため、上記ケースに適切に対応できると共に、処理効率を向上できる。
【００１１】
また、上記目的を達成するために、本発明は、制御装置に接続可能であり、複数の媒体を収納可能な収納部と、前記収納部に連通し、前記媒体を搬送する搬送路と、前記搬送路に連通可能であり、前記媒体が排出される複数の排出部と、前記媒体を排出する前記排出部を切り替える切替部と、前記収納部から前記搬送路を経由して前記排出部へ、前記媒体を搬送する搬送部と、前記搬送路に配置され、前記搬送部により搬送される前記媒体に記録を行う記録部と、を備える媒体処理装置の制御方法であって、前記媒体に記録する画像の搬送方向における長さが、前記媒体の搬送方向における長さによって規定される記録領域の長さよりも長い場合、前記記録領域に収まる範囲の前記画像を前記記録部により記録し、前記画像の長さより前記記録領域の長さが短い場合と長い場合とにおいて、前記媒体が排出される前記排出部が異なるように、前記切替部により前記排出部を切り替え、前記収納部に収納された次の前記媒体に対し前記搬送部による搬送を行うことを特徴とする。
この制御方法によれば、処理の対象となっている媒体について、当該媒体に記録すべき画像の搬送方向における長さが、当該媒体の記録領域の長さよりも長い場合、記録領域に収まる範囲で当該画像を記録するため、このような場合であっても、当該媒体が記録位置に位置していない状態で、記録のための動作が行われることを確実に防止可能である。さらに、上記制御方法によれば、記録領域に記録できる範囲で画像を記録した媒体については、そうではない媒体と異なる排出部に排出されるため、当該媒体を他の媒体から明確に区別することが可能である。さらに、１の媒体に記録すべき画像の搬送方向における長さが、当該媒体の記録領域の長さよりも長い場合であっても、エラーが発生しているとして処理自体を停止するのではなく、収納部に収納された次の媒体に対する搬送を行い、当該次の媒体に対する処理を連続して行う構成のため、スループットの低下を効果的に抑制可能である。
また、上記制御方法によれば、処理の対象となっている媒体について、当該媒体に記録すべき画像の搬送方向における長さが、当該媒体の記録領域の長さよりも長い場合、当該媒体に対して画像を記録しないのではなく、当該媒体が記録位置に位置していない状態で記録のための動作が実行されることを防止した上で、記録領域に収まる範囲で画像が記録される。ここで、媒体に記録される画像の性質によっては、画像の一部が記録されなかった場合であっても、許容されるケースがあるため、上記によれば、このようなケースに適切に対応可能である。
【００１２】
また、上記目的を達成するために、本発明は、制御装置に接続可能であり、複数の媒体を収納可能な収納部と、前記収納部に連通し、前記媒体を搬送する搬送路と、前記搬送路に連通可能であり、前記媒体が排出される複数の排出部と、前記媒体を排出する前記排出部を切り替える切替部と、前記収納部から前記搬送路を経由して前記排出部へ、前記媒体を搬送する搬送部と、前記搬送路に配置され、前記搬送部により搬送される前記媒体に記録を行う記録部と、を備える媒体処理装置の各部を制御する制御部により実行されるプログラムであって、前記制御部を、前記切替部、前記搬送部、及び、前記記録部を制御して、前記媒体に記録する画像の搬送方向における長さが、前記媒体の搬送方向における長さによって規定される記録領域の長さよりも長い場合、前記記録領域に収まる範囲の前記画像を前記記録部により記録し、前記画像の長さより前記記録領域の長さが短い場合と長い場合とにおいて、前記媒体が排出される前記排出部が異なるように、前記切替部により前記排出部を切り替え、前記収納部に収納された次の前記媒体に対し前記搬送部による搬送を行う処理制御部として機能させることを特徴とする。
このプログラムを実行すれば、処理の対象となっている媒体について、当該媒体に記録すべき画像の搬送方向における長さが、当該媒体の記録領域の長さよりも長い場合、記録領域に収まる範囲で当該画像を記録するため、このような場合であっても、当該媒体が記録位置に位置していない状態で、記録のための動作が行われることを確実に防止可能である。さらに、上記プログラムを実行すれば、記録領域に記録できる範囲で画像を記録した媒体については、そうではない媒体と異なる排出部に排出されるため、当該媒体を他の媒体から明確に区別することが可能である。さらに、１の媒体に記録すべき画像の搬送方向における長さが、当該媒体の記録領域の長さよりも長い場合であっても、エラーが発生しているとして処理自体を停止するのではなく、収納部に収納された次の媒体に対する搬送を行い、当該次の媒体に対する処理を連続して行う構成のため、スループットの低下を効果的に抑制可能である。
また、上記プログラムを実行すれば、処理の対象となっている媒体について、当該媒体に記録すべき画像の搬送方向における長さが、当該媒体の記録領域の長さよりも長い場合、当該媒体に対して画像を記録しないのではなく、当該媒体が記録位置に位置していない状態で記録のための動作が実行されることを防止した上で、記録領域に収まる範囲で画像が記録される。ここで、媒体に記録される画像の性質によっては、画像の一部が記録されなかった場合であっても、許容されるケースがあるため、上記によれば、このようなケースに適切に対応可能である。
【発明の効果】
【００１３】
本発明によれば、記録位置に媒体が位置していない状態で記録のための動作が行われることを確実に防止した上で、当該防止のために所定の処理を行った媒体を他の媒体から区別できるようにすると共に、処理に係るスループットの低下を抑制することができる。
【図面の簡単な説明】
【００１４】
【図１】複合処理装置の外観斜視図である。
【図２】複合処理装置の内部構造を示す図である。
【図３】複合処理装置の機能的構成を示すブロック図である。
【図４】複合処理装置の動作を示すフローチャートである。
【図５】小切手への画像の記録を説明するため、小切手を示す図である。
【図６】複合処理装置の動作を示すフローチャートである。
【図７】図６のフローチャートの説明に利用する図である。
【発明を実施するための形態】
【００１５】
以下、図面を参照して本発明の実施形態について説明する。
図１は、本実施の形態に係る複合処理装置１（媒体処理装置）の外観斜視図である。
複合処理装置１は、読取対象媒体であるシート状の小切手４（媒体）や帳票類に対し、この読取対象物に記録された磁気インク文字の読み取り、読取対象物の両面の光学的読み取り、及び、当該読取対象物への画像の記録を行う装置である。また、複合処理装置１は、クレジットカード等のカード型の媒体に記録された磁気情報を読み取るリーダーとしての機能、及び、感熱ロール紙に画像を記録して切断することにより、画像が記録された所定の紙片を発行する機能を備えている。
【００１６】
本実施形態では、読取対象物として小切手４を処理する場合を例に挙げて説明する。小切手４は、図１に示すように、所定の模様や装飾が施されたシート（用紙）に金額、振出人、通し番号、サインなどが印字または記載された帳票である。これら金額、振出人、通し番号、サインなどは表面４ａにあり、裏面４ｂには裏書き欄が設けられている。この裏書き欄には、後述するインクジェットヘッド１０によって、裏書きに係る所定の画像が記録される。また、表面４ａには小切手４の長辺方向に延びる磁気インク文字列４ｃが形成されている。磁気インク文字列４ｃは、磁気インクで印刷された複数の磁気インク文字（ＭＩＣＲ文字）が並んだものであり、磁気的または光学的に読み取ることができる。小切手４の短辺方向及び長辺方向のサイズは規格化されているものの、多様な規格が存在するため、実際には様々なサイズがある。複合処理装置１では、一般的な小切手４のサイズをほぼ包含し得る最大サイズを規定し、この最大サイズ内の小切手４であれば処理できる。
【００１７】
複合処理装置１は、本体下部を覆う下部ケース１１、及び下部ケース１１に被せられるカバー１２からなる外装を有し、外装の内部に複合処理装置１の本体１３が収容されている。複合処理装置１の前面には、小切手４を挿入する挿入口１４が開口しており、挿入口１４の奥には複数の小切手４を積層して収納できるストッカー１５（収納部）が設けられている。このストッカー１５は、前面側へ向かって引き出し自在に構成されており、ストッカー１５に収納すべき小切手４のサイズに応じてストッカー１５を引き出した上で、このストッカー１５に小切手４を収納させることが可能である。
また、カバー１２には、上面視で略Ｕ字形状に、小切手４の搬送路Ｗとなるスリット１８が形成されている。スリット１８は、上述したストッカー１５に連通すると共に、スリット１８は複合処理装置１の前面側に設けられたポケット１９（排出部）に連通している。ストッカー１５に収納された小切手４は、後述するように１枚ずつ複合処理装置１の内部に取り込まれ、スリット１８を通る間に処理されて、処理後の小切手４はポケット１９に排出される。ポケット１９には複数の小切手４を収納することができる。
図１に示すように、ストッカー１５の側方には、磁気カードリーダーユニット２０が設けられている。磁気カードリーダーユニット２０は、カバー１２に形成されたカードスリット２１と、このカードスリット２１に対応して設けられたＭＣＲヘッド２２（図３）とを備え、カードスリット２１を通るカード類に磁気的に記録された情報をＭＣＲヘッド２２によって読み取る。
【００１８】
図２は、複合処理装置１の外装内部に収容されている本体１３の構成を示す平面図である。ストッカー１５の一側面にはホッパー２５が設けられている。このホッパー２５は、ホッパー駆動モーター２６（図３）により、図中矢印方向に回動可能に構成されており、ストッカー１５に貯留された小切手４を他方の側面側に付勢する。
ストッカー１５の他方の側面には、後述するＡＳＦ（Automatically Sheet Feeder）モーター２７（図３）により駆動されるピックアップローラー２８が配置されており、ホッパー２５がピックアップローラー２８側に回動すると、この回動に応じてストッカー１５内の小切手４のうち１枚がピックアップローラー２８に付勢され、当該ローラーに接触して、当該ローラーの回転に応じて搬送路Ｗに引き込まれる。
ストッカー１５の奥には、一対のローラーで構成されるＡＳＦローラー２９が配置されている。ＡＳＦローラー２９の２つのローラーは、搬送路Ｗの両側に配置され、一方は後述するＡＳＦモーター２７の動力により回転し、他方のローラーは従動ローラーである。ピックアップローラー２８に接した小切手４はＡＳＦローラー２９に挟まれて、スリット１８内を下流側へ搬送される。
【００１９】
ストッカー１５の所定の位置には、ＡＳＦ用紙検出器３１（図３）が設けられている。ＡＳＦ用紙検出器３１は、例えば透過型光センサーで構成され、ストッカー１５における小切手４の有無を検出する。
また、ストッカー１５において、ホッパー２５の待機位置には、ホッパー位置検出器３２（図３）が設けられている。ホッパー位置検出器３２は、例えば透過型光センサーで構成され、ホッパー２５が待機位置に位置しているか否かを検出する。
ＡＳＦローラー２９の下流側には、小切手４の表面４ａに接して磁気インク文字列４ｃ（図１）を磁気的に読み取るＭＩＣＲ（Magnetic Ink Character Recognition）ヘッド３５が配置されている。ＭＩＣＲヘッド３５には、ＭＩＣＲローラー３６が対向配置される。ＭＩＣＲローラー３６はＭＩＣＲヘッド３５側に付勢されており、小切手４をＭＩＣＲヘッド３５に押しつけながら回転して、小切手４を、ＭＩＣＲ文字の読み取りに適した定速で搬送する。ＭＩＣＲヘッド３５の上流側には、ＡＳＦローラー２９により繰り出された小切手４をＭＩＣＲヘッド３５に案内する、一対のローラーからなるアシストローラー３７が配置されている。
【００２０】
また、搬送路Ｗ上においてアシストローラー３７とＭＩＣＲヘッド３５との間には、用紙長検出器３８が配置されている。用紙長検出器３８は、例えば反射型光センサーで構成され、搬送路Ｗ上を通る小切手４の検出位置における有無を検出することにより、小切手４の先端及び後端を検出する。用紙長検出器３８の検出値は後述する制御部７０により取得され、この検出値の変化に基づいて小切手４の長さが求められる。
搬送路Ｗ上でＭＩＣＲヘッド３５の下流側には、搬送路Ｗを挟んで対向する一対のローラーを有する第１搬送ローラー４０が設けられ、さらに、この第１搬送ローラー４０の下流側には第２搬送ローラー４１が設けられている。これら第１搬送ローラー４０、及び、第２搬送ローラー４１は、搬送モーター４２（図３）によって回転駆動されるローラーであり、これらローラーによって小切手４はインクジェットプリンターユニット４４へ搬送される。
【００２１】
インクジェットプリンターユニット４４は、インクジェットヘッド１０を備えている。インクジェットヘッド１０は、本体１３の前部に収容されているインクカートリッジ４５からインクの供給を受けて、小切手４にインクを吐出するインクジェット方式の記録ヘッドである。このインクジェットヘッド１０は、いわゆるラインインクジェットヘッドであり、小切手４に対する記録の際は、一定の速度で搬送される小切手４の裏面４ｂに対して、固定された状態のインクジェットヘッド１０からインクが吐出されて、画像が記録される。この小切手４の裏面４ｂに記録される画像は、いわゆる裏書きと呼ばれる文字や記号等である。
インクジェットヘッド１０の上流側であって、インクジェットヘッド１０と、第２搬送ローラー４１との間には、中間検出器４６（センサー）が設けられている。中間検出器４６は、例えば反射型光センサーで構成され、検出位置における小切手４の有無を検出する。
【００２２】
インクジェットヘッド１０の下流には、小切手４を光学的に読み取るＣＩＳ（Contact Image Sensor）ユニットが配置されている。このＣＩＳユニットは、小切手４の表面４ａを読み取る表面ＣＩＳユニット４７と、裏面４ｂを読み取る裏面ＣＩＳユニット４８とを有し、小切手４の両面を光学的に読み取り可能である。表面ＣＩＳユニット４７と裏面ＣＩＳユニット４８は搬送路Ｗを挟んで対向配置されており、これらユニットの上流側には第１ＣＩＳローラー５０が配置され、また、下流側には第２ＣＩＳローラー５１が配置されている。これら第１ＣＩＳローラー５０、及び、第２ＣＩＳローラー５１は、搬送モーター４２によって回転駆動されるローラーであり、これらローラーによってＣＩＳユニットによって読み取り中の小切手４が安定して搬送される。
第２ＣＩＳローラー５１の下流には、排出検出器５２が設けられている。排出検出器５２は、例えば反射型光センサーで構成され、検出位置における小切手４の有無を検出する。
【００２３】
表面ＣＩＳユニット４７、裏面ＣＩＳユニット４８の下流側には上述したポケット１９が設けられている。ポケット１９は、メインポケット１９ａ（排出部）と、サブポケット１９ｂ（排出部）とに区画されており、スリット１８が分岐して、それぞれのポケット１９に連通している。これらメインポケット１９ａ、及び、サブポケット１９ｂには、それぞれ複数の小切手４を収納できる。
そして、スリット１８が分岐した位置には、小切手４を排出すべきポケット１９を、メインポケット１９ａとサブポケット１９ｂとのいずれかに切り替える切替板５４が配置されている。切替板５４は、メインポケット１９ａに連通する経路とサブポケット１９ｂに連通する経路のいずれか一方を塞ぐことで小切手４を他方に案内するガイドであり、切替板駆動モーター５５によって駆動される。切替板５４からメインポケット１９ａに繋がる経路には排出ローラー５６が設けられ、また、切替板５４からサブポケット１９ｂに繋がる経路には排出ローラー５７が設けられており、小切手４は、これらローラーにより切替板５４に案内されたいずれかのポケット１９にスムーズに排出される。
後述するように、複合処理装置１は、ＭＩＣＲヘッド３５による磁気インク文字列４ｃの読み取り結果に基づいて、小切手４が正しくセットされていると判別した場合は、小切手４をメインポケット１９ａに排出し、一方、小切手４が正しくセットされていないと判別した場合は、サブポケット１９ｂに排出する。
【００２４】
また、図１及び図２に示すように、複合処理装置１の中央部には、画像が記録された紙片を発行するサーマルプリンターユニット６０が設けられている。
図１に示すように、サーマルプリンターユニット６０は、ユニット本体の上部を覆うプリンターカバー６１を備えている。このプリンターカバー６１は、カバー１２に対して開閉自在に取り付けられており、プリンターカバー６１を開くと、感熱ロール紙を収容可能な空間であるロール紙収容部６２（図３）が露出し、感熱ロール紙の補充や交換が可能となる。プリンターカバー６１には、排紙口６３が形成されており、ロール紙収容部６２に収容された感熱ロール紙は、排紙口６３を介して、排出される。
サーマルプリンターユニット６０は、ロール紙収容部６２に収容した感熱ロール紙を繰り出して搬送路上を搬送させるローラー状のプラテン（不図示）と、プラテンに対向配置されたサーマルヘッド６５（図３）と、搬送方向に対し直交する方向に感熱ロール紙を切断するカッターユニット６６とを備えている。紙片の発行に際し、サーマルプリンターユニット６０は、プラテンを駆動して感熱ロール紙を搬送方向に搬送しつつ、サーマルヘッド６５により感熱ロール紙に画像を記録し、カッターユニット６６によって所定の位置で感熱ロール紙を切断することにより、紙片を発行する。
【００２５】
図３は、複合処理装置１とホストコンピューター５（制御装置）とを接続して構成される読取システム８の機能的構成を示すブロック図である。
複合処理装置１は、複合処理装置１全体を制御するＣＰＵ、ＲＡＭ、フラッシュＲＯＭ等により構成される制御部７０と、インクジェットプリンターユニット４４及びサーマルプリンターユニット６０を制御するプリンター制御部７１と、ヘッド駆動回路７２と、モータードライバー７３と、読取制御回路７４と、センサー駆動回路７５と、インターフェイス部７６とを有し、これらの各部は相互に通信可能に接続されている。
【００２６】
制御部７０は、フラッシュＲＯＭに記憶されている制御プログラムをＣＰＵにより読み出して実行することにより、複合処理装置１の各部を制御する。制御部７０は、処理制御部７０ａを備えているが、これについては後述する。また、制御部７０には、画像バッファー７０ｂが接続されているが、これについては後述する。
プリンター制御部７１は、制御部７０の制御の下、ヘッド駆動回路７２を介してインクジェットヘッド１０に駆動電流を供給し、小切手４への記録を行う。これら制御部７０、プリンター制御部７１、ヘッド駆動回路７２、その他の装置、機構が協働して、搬送部により搬送路Ｗ上を搬送される小切手４（媒体）に記録する記録部として機能する。
また、プリンター制御部７１は、制御部７０の制御の下、ヘッド駆動回路７２を介してサーマルヘッド６５に駆動電流を供給し、感熱ロール紙への記録を行う。
モータードライバー７３は、ホッパー駆動モーター２６に接続され、制御部７０の制御に従ってホッパー２５を回動させる。また、モータードライバー７３は、ＡＳＦモーター２７、及び、搬送モーター４２に接続され、これら各モーターに駆動電流や駆動パルスを出力して、制御部７０の制御に従いこれらモーターを動作させて、これらモーターに接続されたローラーを駆動する。
これら制御部７０や、モータードライバー７３、ホッパー駆動モーター２６、ホッパー２５、ＡＳＦモーター２７、搬送モーター４２、これらモーターに接続されたローラー、その他の機構、装置が協働して、ストッカー１５（収納部）に収納された媒体を、ストッカー１５（収納部）に連通する搬送路Ｗ上を搬送させ、搬送路Ｗにそれぞれ連通するメインポケット１９ａ、サブポケット１９ｂ（２つの排出部）のいずれかに排出する搬送部として機能する。
また、モータードライバー７３は、切替板駆動モーター５５に接続され、当該モーターに駆動電流や駆動パルスを出力して、制御部７０の制御に従い当該モーターを駆動して、切替板５４を、メインポケット１９ａ側、又は、サブポケット１９ｂ側に切り替える。これら制御部７０や、モータードライバー７３，切替板駆動モーター５５、切替板５４が協働して、小切手４（媒体）が排出されるポケット１９（排出部）を切り替える切替部として機能する。
【００２７】
読取制御回路７４は、ＭＣＲヘッド２２、ＭＩＣＲヘッド３５、表面ＣＩＳユニット４７、及び、裏面ＣＩＳユニット４８に接続されている。読取制御回路７４は、制御部７０の制御に従って、カードスリット２１（図１）にカード類が通される際にＭＣＲヘッド２２によって磁気情報を読み取らせ、ＭＣＲヘッド２２が出力する読取信号をデジタル化して制御部７０に出力する。
同様に、読取制御回路７４は、制御部７０の制御に従ってＭＩＣＲヘッド３５によって磁気情報を読み取らせ、ＭＩＣＲヘッド３５が出力する読取信号をデジタル化して制御部７０に出力する。また、読取制御回路７４は、制御部７０の制御に従って、表面ＣＩＳユニット４７及び裏面ＣＩＳユニット４８に、小切手４の表面４ａ及び裏面４ｂの読み取りを実行させる。この際、表面ＣＩＳユニット４７及び裏面ＣＩＳユニット４８の各々から出力される信号をデジタルデータ化し、制御部７０に出力する。
これら制御部７０や、読取制御回路７４、ＭＩＣＲヘッド３５，表面ＣＩＳユニット４７、裏面ＣＩＳユニット、その他の機構、装置が協働して、搬送部により搬送路Ｗ上を搬送される小切手４（媒体）を読み取る読取部として機能する。
センサー駆動回路７５は、ＡＳＦ用紙検出器３１、ホッパー位置検出器３２、用紙長検出器３８、中間検出器４６、及び、排出検出器５２に接続され、これらの各検出器に電流を供給して、所定周期で出力値を取得し、取得した出力値をデジタルデータに変換して制御部７０に出力する。
インターフェイス部７６は、ホストコンピューター５に対して有線または無線で接続され、制御部７０の制御に従って、ホストコンピューター５との間で制御データを含む各種データを送受信する。
【００２８】
次いで、小切手４を処理する際の複合処理装置１の基本的な動作について説明する。
上述したように、ストッカー１５には、複数枚の小切手４を収納可能である。そして、本実施形態に係る複合処理装置１は、ストッカー１５に収納された複数の小切手４について、所定のタイミングで、順次、搬送路Ｗ上に繰り出し、以下で説明する一連の処理を、各小切手４について連続して実行可能である。
【００２９】
図４は、ある１枚の小切手４に対して実行される一連の処理を示すフローチャートである。
図４に示すように、複合処理装置１の制御部７０の処理制御部７０ａは、ホストコンピューター５から小切手４の処理開始を指示するコマンドを受信すると（ステップＳ１１）、ホッパー位置検出器３２の検出値や、ＡＳＦ用紙検出器３１の検出値を監視しつつ、ホッパー駆動モーター２６や、ＡＳＦモーター２７を駆動して、ストッカー１５に収納された小切手４のうち１枚を搬送路Ｗに繰り出して、小切手４の搬送を開始する（ステップＳ１２）。
この処理制御部７０ａの機能は、ＣＰＵがファームウェアを読み出して実行する等、ハードウェアとソフトウェアとの協働により実現される。
次いで、処理制御部７０ａは、用紙長検出器３８の検出値を監視することにより小切手４の位置を管理しつつ、ＭＩＣＲヘッド３５によって、小切手４の磁気インク文字列４ｃを読み取る（ステップＳ１３）。
次いで、処理制御部７０ａは、ＭＩＣＲヘッド３５の読み取り結果に基づいて、小切手４が上下裏表逆にセットされることなく、正しくセットされているか否かを判別する（ステップＳ１４）。詳細には、処理制御部７０ａは、磁気インク文字列４ｃを構成する磁気インク文字について、磁気インク文字を読み取って得られる検出波形と、基準波形との比較による磁気インク文字認識を行って、磁気インク文字認識の成否により、小切手４が正しくセットされているか否かを判別する。
次いで、処理制御部７０ａは、ステップＳ１４の判別結果に基づいて、切替板駆動モーター５５を駆動して、切替板５４を切り替える（ステップＳ１５）。すなわち、制御部７０は、小切手４が正しくセットされている場合は、切替板５４をメインポケット１９ａ側に切り替え、一方、小切手４が正しくセットされていない場合は、切替板５４をサブポケット１９ｂ側に切り替える。なお、ステップＳ１４、Ｓ１５の処理は、以下のステップＳ１６、Ｓ１７の処理と並行して行われる。
【００３０】
次いで、処理制御部７０ａは、中間検出器４６の検出値を監視することにより小切手４の位置を監視しつつ、搬送モーター４２の駆動により各種モーターを駆動して小切手４を搬送し、インクジェットヘッド１０により、小切手４の裏面４ｂに所定の画像を記録する（ステップＳ１６）。なお、小切手４が正しくセットされていない場合は、ステップＳ１６において、画像の記録を行わないようにしてもよい。
次いで、処理制御部７０ａは、表面ＣＩＳユニット４７によって小切手４の表面４ａをスキャンすると共に、裏面ＣＩＳユニット４８によって裏面４ｂをスキャンし、スキャン結果をホストコンピューター５に出力する（ステップＳ１７）。なお、小切手４が正しくセットされていない場合は、ステップＳＡ７において、スキャンを行わないようにしてもよい。
次いで、処理制御部７０ａは、排出検出器５２の検出値を監視することにより小切手４が正常に排紙されたか否かを監視しつつ、搬送モーター４２を駆動することにより各種モーターを駆動して小切手４をポケット１９に排出する（ステップＳ１８）。その際、小切手４は、切替板５４に導かれてメインポケット１９ａ、サブポケット１９ｂのうちＭＩＣＲヘッド３５の読み取り結果に応じた適切なポケット１９に排出される。
【００３１】
次いで、インクジェットヘッド１０による小切手４への記録について詳細に説明する。
小切手４への画像の記録に際し、まず、ホストコンピューター５から複合処理装置１に対して、小切手４への所定の画像の記録を指示する制御コマンドが入力される。この制御コマンドには、小切手４に記録すべき画像の画像データ（ビットマップデータ等の、画素ごとに色に関する情報を保持するデータ）が含まれている。
制御コマンドが入力されると、処理制御部７０ａは、当該制御コマンドに含まれる画像データを画像バッファー７０ｂに展開し、展開した画像データに基づいて以下のようにして画像を記録する。
【００３２】
図５は、小切手４への画像の記録時の動作の説明に利用する図であり、小切手４の裏面４ｂ（画像が記録される側の面）を模式的に示している。
図５に示す小切手４では、左側の端が先端４ｄであり、右側の端が後端４ｅであり、搬送路Ｗにおいて、小切手４は、搬送方向ＹＪ１（搬送路Ｗにおいてストッカー１５からポケット１９へ向かう方向）に搬送されるものとする。
ここで、インクジェットヘッド１０では、搬送方向ＹＪ１と交わる方向のノズル列方向ＹＪ２（＝搬送される小切手４の短手方向）に複数のノズルが延在して形成された１又は複数のノズル列が形成されている。
画像の記録に際し、処理制御部７０ａは、搬送モーター４２や、その他の機構を駆動して、小切手４を、図５の搬送方向ＹＪ１に一定の速度で搬送する。そして、処理制御部７０ａは、小切手４を搬送方向ＹＪ１へ搬送しつつ、画像バッファー７０ｂに展開した画像データに基づいて、所定のタイミングで、ノズル列の所定のノズルから、所定量のインクを吐出することにより、小切手４の裏面４ｂにドットの組み合わせからなる画像を記録する。
【００３３】
ところで、１の小切手４への画像の記録において、当該１の小切手４への記録のためにホストコンピューター５から複合処理装置１に入力される画像データが示す画像の搬送方向ＹＪ１における長さ（以下、「画像長Ｌ１」という。）は、通常、小切手４の記録領域Ａ１の搬送方向ＹＪ１における長さ（以下、「記録領域長Ｌ２」という。）以下とされる。記録領域Ａ１とは、図５に示すように、小切手４の裏面の記録開始位置Ｔ１（小切手４の先端側における画像の記録の開始位置。）から、記録可能末端Ｔ２（小切手４の後端４ｅからマージンＭだけ離間した位置。マージンＭは、小切手４への画像の記録に際し、小切手４の後端４ｅを越えてインクが吐出されることを確実に防止するために必要な最小限のマージン。）に延在する領域のことである。この記録領域長Ｌ２は、小切手４の搬送方向の長さによって規定される。
仮に、画像長Ｌ１の方が、記録領域長Ｌ２よりも長かった場合であって何ら対応する処理を行わない場合、図５において斜線で示すように、画像の記録に際し、小切手４の外側にインクが吐出される事態が生じ、装置や、次に搬送されてくる小切手４の汚れ、機構、装置の不具合の発生等を招く可能性がある。
しかしながら、オペレーターのミス、その他の原因により、ホストコンピューター５から入力された画像データが示す画像の画像長Ｌ１が、処理対象となっている小切手４の記録領域長Ｌ２よりも長い場合が稀にある。このような場合であっても、汚れや不具合の原因となるため、小切手４の外側にインクが吐出されることを確実に防止する必要がある。
また、処理対象となっている小切手４について、画像長Ｌ１が、記録領域長Ｌ２よりも長い場合は、小切手４の外側にインクが吐出されることを防止するための特別な処理を実行することが考えられるが、当該特別な処理を実行した場合、このような小切手４を他の小切手４と明確に区別し、後に当該媒体を選別できるようにしておく必要がある。
また、上述したように、複合処理装置１は、ストッカー１５に収納された複数の小切手４について連続して処理できる構成となっている。これは、複数の小切手４を連続して処理可能とすることにより、複数の小切手４の処理に要する時間を短縮し、商品としての価値、魅力の向上や、顧客満足度、利便性を図ることを目的としたものである。従って、複合処理装置１においては、不必要にスループットが低下するのを抑制することが強く求められる。
以上を踏まえ、本実施形態に係る複合処理装置１は、以下の動作を実行する。
【００３４】
図６は、図４のステップＳ１６における小切手４への画像の記録の実行時における複合処理装置１の動作を詳細に示すフローチャートである。
また、図７は、図６のフローチャートの動作の説明に利用する図である。
以下の説明では、説明の明確化のため、処理対象となっている小切手４について、当該小切手４に記録すべき画像の画像長Ｌ１が、当該小切手４の記録領域長Ｌ２よりも長いものとする。
図６を参照し、複合処理装置１の制御部７０の処理制御部７０ａは、ホストコンピューター５から入力された制御コマンドに基づいて、小切手４を搬送方向ＹＪ１に搬送しつつ、インクジェットヘッド１０のノズル列からインクを吐出することにより、画像の記録を開始する（ステップＳ２１）。処理制御部７０ａは、小切手４への画像の記録中、小切手４を一定の速度で搬送する。
図７（Ａ）は、画像の記録の開始直後における小切手４と、ノズル列Ｎ１と、中間検出器４６によって小切手４の有無が検出される検出位置Ｔ３との関係を模式的に示している。なお、図７では、１つのノズル列を図示しているが、インクジェットヘッド１０に複数のノズル列が設けられていてもよい。
図７（Ａ）に示すように、画像の記録の開始直後は、小切手４の後端４ｅは、検出位置Ｔ３よりも搬送方向ＹＪ１の上流側に位置した状態であり、ノズル列Ｎ１によって、記録開始位置Ｔ１から順次ドットが形成され画像が記録される。
【００３５】
画像の記録が進行し、搬送方向ＹＪ１への小切手４の搬送が進むと、小切手４の後端４ｅが、検出位置Ｔ３に至る。小切手４の後端４ｅが、検出位置Ｔ３に至ると、処理制御部７０ａは、中間検出器４６の検出値の変化に基づいて、そのことを検出する（ステップＳ２２）。
図７（Ｂ）は、小切手４の後端４ｅが検出位置Ｔ３に至ったときの、小切手４と、ノズル列Ｎ１と、検出位置Ｔ３の関係を模式的に示している。
図７（Ｂ）に示すように、小切手４の後端４ｅが検出位置Ｔ３に至った場合、小切手４の記録可能末端Ｔ２と、ノズル列Ｎ１との離間距離は、固定値である距離Ｌ３となる。従って、小切手４の後端４ｅが検出位置Ｔ３に至った後、距離Ｌ３分搬送した場合、記録可能末端Ｔ２が、ノズル列Ｎ１に至ることとなる。
【００３６】
中間検出器４６の検出位置Ｔ３に小切手４の後端４ｅが至ると、処理制御部７０ａは、その後の小切手４の搬送量の管理を開始する（ステップＳ２３）。本実施形態では、搬送モーター４２は、ステッピングモーターにより構成されており、当該モーターのステップ数を管理することにより、小切手４の搬送量を管理可能である。なお、処理制御部７０ａは、小切手４の搬送量を管理することにより、搬送される小切手４の後端４ｅの位置を管理している。
【００３７】
画像の記録が進行し、搬送方向ＹＪ１への小切手４の搬送が進むと、処理制御部７０ａは、中間検出器４６の検出位置Ｔ３に小切手４の後端４ｅが至った後、距離Ｌ３分、小切手４が搬送されたことを検出する（ステップＳ２４）。
図７（Ｃ）は、中間検出器４６の検出位置Ｔ３に小切手４の後端４ｅが至った後、距離Ｌ３分、小切手４が搬送されときの、小切手４と、ノズル列Ｎ１と、検出位置Ｔ３の関係を模式的に示している。
図７（Ｃ）に示すように、距離Ｌ３分、小切手４が搬送されると、ノズル列Ｎ１に対応する位置に、小切手４の記録可能末端Ｔ２が至ることとなり、ノズル列Ｎ１と、小切手４の後端４ｅとの離間量が、マージンＭだけとなる。上述したように、マージンＭは、小切手４への画像の記録に際し、小切手４の後端４ｅを越えてインクが吐出されることを確実に防止するために必要な最小限のマージンである。
【００３８】
距離Ｌ３分、小切手４が搬送された場合、処理制御部７０ａは、以後のインクの吐出を禁止する（ステップＳ２５）。
このように、本実施形態では、処理制御部７０ａは、中間検出器４６の検出位置Ｔ３に小切手４の後端４ｅが至った後に距離Ｌ３分小切手４が搬送された場合は、以後のインクの吐出を禁止する。これにより、小切手４について、記録可能末端Ｔ２よりも上流側にインクが吐出されることが禁止され、小切手４の外側にインクが吐出されることが確実に防止される。
【００３９】
次いで、処理制御部７０ａは、ステップＳ２８においてインクの吐出を禁止することによって、画像の一部が記録されなかった場合（＝画像長Ｌ１が、記録領域長Ｌ２よりも長かった場合）は、切替板５４をメインポケット１９ａ側へ切り替え、一方、ステップＳ２８におけるインクの吐出の禁止前に画像の全てが記録された場合（＝画像長Ｌ１が、記録領域長Ｌ２よりも短かった場合）は、切替板５４をサブポケット１９ｂ側へ切り替える（ステップＳ２６）。
すなわち、本実施形態では、他の条件が同じであるならば、画像長Ｌ１が記録領域長Ｌ２よりも短く全ての画像が記録された小切手４についてはメインポケット１９ａに排出され、一方、画像長Ｌ１が記録領域長Ｌ２よりも長く一部の画像が記録されなかった小切手４についてはサブポケット１９ｂに排出される。このように、画像長Ｌ１が記録領域長Ｌ２よりも長く一部の画像が記録されなかった小切手４は、サブポケット１９ｂに排出されるため、画像の全てが記録された他の小切手４と明確に区別することが可能である。
【００４０】
次いで、処理制御部７０ａは、記録に係る処理の結果をホストコンピューター５に通知する（ステップＳ２７）。その際、処理制御部７０ａは、画像の記録の対象となった小切手４について、画像長Ｌ１が記録領域長Ｌ２よりも長く記録領域Ａ１に記録できる範囲で画像を記録したこと、及び、ストッカー１５に収納された他の小切手４について、引き続き連続して処理可能であることを通知する。例えば、上記通知に際し、処理制御部７０ａからホストコンピューター５に出力されるコマンドに、画像長Ｌ１が記録領域長Ｌ２よりも長く記録領域Ａ１に記録できる範囲で画像を記録したことを示すフラグ、及び、ストッカー１５に収納された他の小切手４について引き続き連続して処理可能であることを示すフラグが設けられており、処理制御部７０ａは、これら各フラグを立てた上で、コマンドを出力する。
このように、画像長Ｌ１が記録領域長Ｌ２よりも長く記録領域Ａ１に記録できる範囲で画像を記録した場合、処理制御部７０ａが、そのこと、及び、ストッカー１５に収納された他の小切手４について、引き続き連続して処理可能であることを通知することにより、以下の効果を奏する。
すなわち、画像長Ｌ１が記録領域長Ｌ２よりも長く、記録領域Ａ１に記録できる範囲で画像を記録した場合、ホストコンピューター５でそのことを把握し、例えば、自身が備える表示部にその旨表示してオペレーターに通知する等の適切な処理を実行可能となる。
さらに、画像の記録に係る処理中に発生したエラーの中には、複合処理装置１による小切手４の連続処理を停止する必要があるものがあるが、ストッカー１５に収納された他の小切手４について、引き続き連続して処理可能であることが通知されるため、ホストコンピューター５は、引き続き、連続した媒体の処理に応じた制御が可能となり、これにより、小切手４の連続した処理が継続して行われ、スループットの低下を抑制できる。
ここで、画像長Ｌ１が記録領域長Ｌ２よりも長く記録領域Ａ１に記録できる範囲で画像を記録した場合、小切手４に対して画像の一部が記録されていないものの、何らかの機構や、部品に、小切手４の連続した処理を妨げるようなエラーが発生したわけではなく、従って、処理を中断することなく上記連続した処理を継続して実行可能である。そして、複数の小切手４に対する連続した処理を中断した場合は、スループットの著しい低下を招く可能性があるが、本実施形態では、不必要に上記連続した処理の中断が行われないため、スループットの低下を効果的に抑制可能である。
【００４１】
さて、ステップＳ２７におけるホストコンピューター５への通知後、処理制御部７０ａは、画像バッファー７０ｂをクリアーし、画像バッファー７０ｂに展開されなかった画像データのうち、記録されなかった部分について、破棄する（ステップＳ２８）。これにより、バッファー内にデータを残存させる場合と比較して、次に処理対象となる小切手４に記録すべき画像の画像データを、効率よく画像バッファー７０ｂに展開できる。
【００４２】
なお、本実施形態では、画像長Ｌ１が記録領域長Ｌ２よりも長く、画像の一部について記録できない場合は、画像の全てを記録しないのではなく、記録領域Ａ１に収まる範囲で画像を記録する。これにより、以下のような効果を奏する。すなわち、複合処理装置１のように、搬送される小切手４への裏書きに係る画像の記録のほか、小切手４の読み取りを行うものでは、小切手４の磁気的、光学的な読み取りの成否が最重要とされ、裏書きに係る画像については、その一部に記録されない部分があったとしても許容されるケースがある。この場合、裏書きに係る画像の一部が記録されない場合であっても、一連の処理の連続した実行を継続した方が、処理効率の向上という観点からは、有利である。以上を踏まえ、本実施形態によれば、処理の対象となっている小切手４について、画像長Ｌ１が記録領域長Ｌ２よりも長い場合、当該媒体に対して全く画像を記録しないのではなく、記録領域Ａ１に収まる範囲で画像を記録し、その上で、一連の処理の連続した実行を継続するため、上記ケースに適切に対応できると共に、処理効率を向上できる。
【００４３】
さて、図４を参照し、図６のステップＳ２１〜ステップＳ２８を実行することにより、画像の記録に係る処理を実行した後（ステップＳ１６）、複合処理装置１の処理制御部７０ａは、小切手４に対してスキャンを実行し（ステップＳ１７）、ポケット１９に排出する（ステップＳ１８）。そして、複合処理装置１の処理制御部７０ａは、適切なタイミングで、ストッカー１５に収容された次の小切手４について、搬送を開始し、図４に示す一連の処理を実行する。その際、ホストコンピューター５は、複合処理装置１が連続して小切手４を処理することを前提として、適切な制御コマンドを出力する。
このように、本実施形態では、ある１の小切手４について、画像長Ｌ１が記録領域長Ｌ２よりも長く、画像の一部について記録されなかった場合であっても、次の小切手４の搬送を開始して、連続した処理を継続して実行し、スループットの低下を抑制している。
【００４４】
以上説明したように、本実施形態に係る処理制御部７０ａは、処理対象の小切手４について、画像長Ｌ１が、記録領域長Ｌ２よりも長い場合、記録領域Ａ１に収まる範囲の画像を記録し、画像長Ｌ１さより記録領域長Ｌ２が短い場合と長い場合とにおいて、小切手４が排出されるポケット１９が異なるように、排出すべきポケット１９を切り替え、ストッカー１５に収納された次の小切手４に対し搬送を行う。
これによれば、処理制御部７０ａは、処理の対象となっている小切手４について、画像長Ｌ１が、記録領域長Ｌ２よりも長い場合、記録領域Ａ１に収まる範囲で画像を記録するため、このような場合であっても、小切手４の外側にインクジェットヘッド１０からインクが吐出されること（媒体が記録位置に位置していない状態で、記録のための動作が行われること）を確実に防止可能である。さらに、上記構成によれば、記録領域Ａ１に記録できる範囲で画像を記録した小切手４については、そうではない小切手４と異なるポケット１９に排出されるため、当該小切手４を他の小切手４から明確に区別することが可能である。さらに、画像長Ｌ１が、記録領域長Ｌ２よりも長い場合であっても、エラーが発生しているとして処理自体を停止するのではなく、ストッカー１５に収納された次の小切手４に対する搬送を行い、当該次の小切手４に対する処理を連続して行う構成のため、スループットの低下を効果的に抑制可能である。
【００４５】
また、本実施形態に係る複合処理装置１は、インクジェットヘッド１０の上流側に設けられ、小切手４の有無を検出する中間検出器４６（センサー）を備えている。そして、処理制御部７０ａは、中間検出器４６により小切手４の後端４ｅを検出して後端４ｅの位置を管理し、小切手４の後端４ｅに対応する位置（マージンＭを考慮した記録可能末端Ｔ２）の上流側へのインクの吐出を禁止することによって、画像長Ｌ１が記録領域長Ｌ２よりも長い場合に、記録領域Ａ１に記録できる範囲で画像を記録する。
これによれば、中間検出器４６を利用して小切手４の後端４ｅを検出した上で、後端４ｅの位置を管理し、この後端４ｅに対応する位置の上流側へのインクの吐出を禁止するため、容易な手段で、小切手４の後端４ｅを上流側に越えてインクが吐出されることを確実に防止できる。
【００４６】
また、本実施形態に係る処理制御部７０ａは、画像長Ｌ１が記録領域長Ｌ２よりも長く、記録領域Ａ１に記録できる範囲で画像を記録した場合、その旨、及び、ストッカー１５に収納された次の小切手４について処理が可能である旨を、ホストコンピューター５に通知する。
これにより、画像長Ｌ１が記録領域長Ｌ２よりも長く、記録領域Ａ１に記録できる範囲で画像を記録した場合、ホストコンピューター５でそのことを把握し、例えば、自身が備える表示部にその旨表示してオペレーターに通知する等の適切な処理を実行可能となる。
さらに、画像の記録に係る処理中に発生したエラーの中には、複合処理装置１による小切手４の連続処理を停止する必要があるものがあるが、ストッカー１５に収納された他の小切手４について、引き続き連続して処理可能であることが通知されるため、ホストコンピューター５は、引き続き、連続した媒体の処理に応じた制御が可能となり、これにより、小切手４の連続した処理が継続して行われ、スループットの低下を抑制できる。
ここで、画像長Ｌ１が記録領域長Ｌ２よりも長く記録領域Ａ１に記録できる範囲で画像を記録した場合、小切手４に対して画像の一部が記録されていないものの、何らかの機構や、部品に、小切手４の連続した処理を妨げるようなエラーが発生したわけではなく、従って、処理を中断することなく上記連続した処理を継続して実行可能である。そして、複数の小切手４に対する連続した処理を中断した場合は、スループットの著しい低下を招く可能性があるが、本実施形態では、不必要に上記連続した処理の中断が行われないため、スループットの低下を効果的に抑制可能である。
【００４７】
また、本実施形態では、画像長Ｌ１が記録領域長Ｌ２よりも長く、記録領域Ａ１に記録できる範囲で画像を記録した場合、画像バッファー７０ｂに展開された画像データのうち、記録されなかった部分については、破棄する。
これにより、バッファー内にデータを残存させる場合と比較して、次に処理対象となる小切手４に記録すべき画像の画像データを、効率よく画像バッファー７０ｂに展開できる。
【００４８】
また、本実施形態に係る複合処理装置１は、小切手４を磁気的、光学的に読み取る読取部を備えている。そして、処理制御部７０ａは、切替部、搬送部、記録部、及び、読取部を制御して、ストッカー１５に収納された複数の小切手４に対して、ストッカー１５から搬送路Ｗを経由してポケット１９への搬送、搬送中の小切手４に対する画像の記録、及び、搬送中の小切手４に対する読み取りを含む一連の処理を、連続して実行する。
ここで、本実施形態に係る複合処理装置１のように、搬送される小切手４への裏書きに係る画像の記録のほか、小切手４の読み取りを行うものでは、小切手４の磁気的、光学的な読み取りの成否が最重要とされ、裏書きに係る画像については、その一部に記録されない部分があったとしても許容されるケースがある。この場合、裏書きに係る画像の一部が記録されない場合であっても、一連の処理の連続した実行を継続した方が、処理効率の向上という観点からは、有利である。以上を踏まえ、本実施形態によれば、処理の対象となっている小切手４について、画像長Ｌ１が記録領域長Ｌ２よりも長い場合、当該媒体に対して全く画像を記録しないのではなく、記録領域Ａ１に収まる範囲で画像を記録し、その上で、一連の処理の連続した実行を継続するため、上記ケースに適切に対応できると共に、処理効率を向上できる。
【００４９】
次いで、別の実施形態について説明する。
上述した実施形態では、小切手４への画像の記録に際し、中間検出器４６により小切手４の後端４ｅを検出し、後端４ｅの位置を管理し、後端４ｅに対応する位置から上流側へのインクの吐出を禁止することにより、小切手４の外側へのインクの吐出を防止していた。
一方で、この別の実施形態では、以下のようにして、小切手４の外側へのインクの吐出を防止する。
すなわち、まず、小切手４の搬送が開始された後、複合処理装置１の制御部７０は、用紙長検出器３８の検出値に基づいて、小切手４の長手方向（＝搬送方向）の長さを検出する。このとき制御部７０は、検出部として機能する。
次いで、処理制御部７０ａは、検出された小切手４の長手方向の長さと、小切手４における記録開始位置Ｔ１との関係から、記録領域Ａ１の記録領域長Ｌ２を算出する。
さらに、ホストコンピューター５から画像の記録を指示する制御コマンドが入力されると、処理制御部７０ａは、制御コマンドに含まれる画像データに基づいて、画像データが示す画像の画像長Ｌ１を算出する。
そして、処理制御部７０ａは、算出した画像長Ｌ１と、記録領域長Ｌ２とを比較し、画像長Ｌ１の方が記録領域長Ｌ２よりも短い場合は通常通り画像の全てを記録する。一方、画像長Ｌ１の方が記録領域長Ｌ２よりも長い場合は、画像のうち、記録領域Ａ１に収まる範囲を特定し、特定した範囲で画像を記録する。これにより、小切手４の外側へのインクの吐出を確実に防止できると共に、上述した実施形態で述べた効果と同様の効果を奏することができる。また、画像データのうち、画像として記録されなかった部分については、データを保持するのではなく、消去し、破棄する。これにより、データを保持する場合と比較して、記憶領域の効率的な使用が可能となる。
【００５０】
以上説明したように、本実施形態によれば、検出部として機能する制御部７０は、用紙長検出器３８の検出値に基づいて、搬送される小切手４の長さを検出する。そして、処理制御部７０ａは、ホストコンピューター５から受信した画像に係るデータに基づき、小切手４に記録する画像の画像長Ｌ１さを算出し、算出した画像長Ｌ１と、小切手４の搬送方向における長さによって規定される記録領域Ａ１の長さである記録領域長Ｌ２とを比較し、画像長Ｌ１が長い場合は、記録領域Ａ１に納まる範囲の画像を記録する。
これによれば、搬送路Ｗを搬送される小切手４の実際の長さを反映して、的確に、画像長Ｌ１と、記録領域長Ｌ２との長短を判別した上で、画像の記録を実行できる。
【００５１】
なお、上述した実施の形態は、あくまでも本発明の一態様を示すものであり、本発明の範囲内で任意に変形および応用が可能である。
例えば、上述した実施形態では、複合処理装置１は、搬送路Ｗ上を搬送される小切手４に対して、インクジェットヘッド１０によってインクを吐出することにより画像を記録していた。しかしながら、インクジェットヘッド１０に限らず、サーマルヘッドや、ドットインパクト式のヘッドによって小切手４に対して画像を記録する構成であってもよい。すなわち、媒体が記録位置に位置していない状態で、記録に係る動作が行われることを避けるべき全ての装置に対して、本願発明を適用可能である。
また例えば、上述した実施形態では、複合処理装置１は、搬送路Ｗ上に、ＭＩＣＲヘッド３５、インクジェットヘッド１０、及び、ＣＩＳユニットが順次配置された構造であったが、装置の配置順番や、装置の具体的構造は、これに限らない。
また例えば、図３に示す各機能ブロックはハードウェアとソフトウェアの協働により任意に実現可能であり、特定のハードウェア構成を示唆するものではない。
また例えば、制御部７０の機能を、複合処理装置１に外部接続される別の装置に持たせるようにしてもよい。
また、外部接続される記憶媒体に記憶させたプログラムを実行することにより、図４、図６で示した各フローチャートの各ステップを実行するようにしてもよい。
【符号の説明】
【００５２】
１…複合処理装置（媒体処理装置）、４…小切手（媒体）、５…ホストコンピューター（制御装置）、１０…インクジェットヘッド（記録部）、１５…ストッカー（収納部）、１９…ポケット（排出部）、１９ａ…メインポケット（排出部）、１９ｂ…サブポケット（排出部）、３５…ＭＩＣＲヘッド（読取部）、４２…搬送モーター（搬送部）、４６…中間検出器（センサー）、４７…表面ＣＩＳユニット（読取部）、４８…裏面ＣＩＳユニット（読取部）、５４…切替板（切替部）、５５…切替板駆動モーター（切替部）、７０…制御部（搬送部、記録部、切替部、読取部、検出部）、７０ａ…処理制御部、７２…ヘッド駆動回路（記録部）、７３…モータードライバー（搬送部、切替部）。
【図１】
2013071414.tif 000003
【図２】
2013071414.tif 000004
【図３】
2013071414.tif 000005
【図４】
2013071414.tif 000006
【図５】
2013071414.tif 000007
【図６】
2013071414.tif 000008
【図７】
2013071414.tif 000009